(57)【要約】      （修正有）【課題】観音開き型の扉に把手がついていない保管庫であっても利用可能な簡易的な錠装置を提供する。【解決手段】錠装置３０の筐体３１は、奥側の扉に貼着される。また、筐体３１におけるデッドボルト３３が嵌め込まれた孔は手前側の扉の方に向けられる。筐体３１内の施開錠駆動機構４２は、デッドボルト３３が開錠位置から施錠位置まで動かされた場合にその逆方向への摺動を規制し、テンキーボタン３７を介して入力された番号がメモリ内の暗証番号と一致した場合にデッドボルト３３の摺動の規制を解除してデッドボルト３３を開錠位置まで退避させる。【選択図】図２
2014070443.tif 000002
【特許請求の範囲】
【請求項１】
前面を開口とする箱状をなす保管庫本体と、各々が前記開口の左右の側縁を回動軸として回動し得るとともに、各々が前記開口上で突き合わされた閉扉状態において一方の扉である第１の扉の前記閉扉状態を解除する方向への回動を他方の扉である第２の扉が規制するようにして支持された２枚の扉とを有する保管庫に取り付けられる錠装置であって、
内部の空洞と連通する孔を有する筐体であって、この孔を前記第２の扉の側に向けて前記第１の扉の表面に貼着される筐体と、
前記孔に嵌め込まれたデッドボルトと、
操作子と、
暗証番号を記憶するメモリと、
前記デッドボルトの先端が前記筐体における前記孔のある面と面一になる位置を開錠位置とするとともに前記先端が前記孔のある面よりも前記第２扉の側に突出した位置を施錠位置とし、前記デッドボルトが前記開錠位置から前記施錠位置まで動かされた場合にその逆方向への摺動を規制し、前記操作子を介して入力された番号が前記メモリ内の暗証番号と一致した場合に前記規制を解除して前記デッドボルトを前記開錠位置まで退避させる施開錠駆動機構と
を具備することを特徴とする錠装置。
【請求項２】
キー挿入口を前記筐体の外側に向けて前記筐体に埋め込まれたシリンダ錠を具備し、
前記施開錠駆動機構は、
前記シリンダ錠の前記キー挿入口にキーを挿入して前記キーが回された場合にも前記規制を解除する
ことを特徴とする請求項１に記載の錠装置。
【請求項３】
前記メモリの記憶内容を書き換える制御部を具備し、
前記制御部は、
前記シリンダ錠の前記キー挿入口にキーを挿入して前記キーが回された状態において前記操作子により番号が入力された場合に、この入力された番号を新たな暗証番号として前記メモリに上書きする
ことを特徴とする請求項２に記載の錠装置。
【発明の詳細な説明】
【技術分野】
【０００１】
この発明は、保管庫に簡易的な施開錠機能を付加する技術に関する。
【背景技術】
【０００２】
特許文献１には、観音開き型の保管庫に簡易的な施開錠機能を付加する技術の開示がある。この文献１に開示された錠装置は、２枚の扉が一部折り重なるようにして閉扉され、手前の扉を先に開扉しないと奥の扉を開扉できないような構造を持ったキャビネットに取り付けて利用するものである。この錠装置は、閉扉時に手前になる方の扉の開閉把手を覆うようにしてその扉に装置本体部を貼着し、装置本体部の窓の遮蔽と開放を電子キーの認証操作に応じて制御するものである。この技術によると、扉上の装置本体部の窓が閉塞された場合にその扉の把手を操作することができなくなる。よって、この技術によると、施錠機構が未搭載のキャビネットに簡易的な施開錠機能を付加することができる。
【先行技術文献】
【特許文献】
【０００３】
【特許文献１】特許第４６２７２０２号公報
【発明の概要】
【発明が解決しようとする課題】
【０００４】
ところで、観音開き型の保管庫の中には、扉に把手がなく、扉自体を奥に押す操作により開扉がなされるようなものもある。しかしながら、特許文献１の技術の場合、把手を隠蔽する装置本体部の窓の開閉により開錠と施錠を切り換えるようになっているため、このような保管庫には利用できないという問題があった。
【０００５】
本発明は、このような課題に鑑みてなされたものであり、扉に把手がついていない保管庫であっても利用可能な簡易的な錠装置を提供することを目的とする。
【課題を解決するための手段】
【０００６】
上記課題を解決するため、本発明は、前面を開口とする箱状をなす保管庫本体と、各々が前記開口の左右の側縁を回動軸として回動し得るとともに、各々が前記開口上で突き合わされた閉扉状態において一方の扉である第１の扉の前記閉扉状態を解除する方向への回動を他方の扉である第２の扉が規制するようにして支持された２枚の扉とを有する保管庫に取り付けられる錠装置であって、内部の空洞と連通する孔を有する筐体であって、この孔を前記第２の扉の側に向けて前記第１の扉の表面に貼着される筐体と、前記孔に嵌め込まれたデッドボルトと、操作子と、暗証番号を記憶するメモリと、前記デッドボルトの先端が前記筐体における前記孔のある面と面一になる位置を開錠位置とするとともに前記先端が前記孔のある面よりも前記第２扉の側に突出した位置を施錠位置とし、前記デッドボルトが前記開錠位置から前記施錠位置まで動かされた場合にその逆方向への摺動を規制し、前記操作子を介して入力された番号が前記メモリ内の暗証番号と一致した場合に前記規制を解除して前記デッドボルトを前記開錠位置まで退避させる施開錠駆動機構とを具備する錠装置を提供する。
【０００７】
本発明では、筐体は、第１の扉に貼着される。また、筐体におけるデッドボルトが嵌め込まれた孔は第１の扉の回動を規制する扉である第２の扉の方に向けられる。そして、施開錠駆動機構は、デッドボルトの先端が筐体における孔のある面と面一になる位置を開錠位置とするとともにデッドボルトの先端が孔のある面よりも第２扉の側に突出した位置を施錠位置とし、デッドボルトが開錠位置から施錠位置まで動かされた場合にその逆方向への摺動を規制し、操作子を介して入力された番号がメモリ内の暗証番号と一致した場合にデッドボルトの摺動の規制を解除してデッドボルトを開錠位置まで退避させる。よって、本発明によると、保管庫の扉に把手がついていない場合でも、簡易的な施開錠機能を付加することができる。
【図面の簡単な説明】
【０００８】
【図１】本発明の一実施形態である錠装置およびこれを取り付ける保管庫を示す図である。
【図２】開錠状態における錠装置とその施開錠駆動機構を示す図である。
【図３】施錠状態における錠装置とその施開錠駆動機構を示す図である。
【図４】他の実施形態である錠装置およびこれを取り付ける保管庫を示す図である。
【０００９】
以下、図面を参照しつつ本発明の実施形態について説明する。
図１（Ａ）は、本発明の一実施形態である錠装置３０とこれを取り付ける保管庫１０の斜視図である。図１（Ｂ）は、図１（Ａ）のＡ−Ａ’線断面を上から見た図である。この錠装置３０の取付対象である保管庫１０の保管庫本体１１は、前面を開口１３とする箱状をなしている。保管庫本体１１の開口１３は２枚の扉１４Ｌ（第１の扉）および１４Ｒ（第２の扉）に覆われている。２枚の扉１４Ｌ及び１４Ｒは、各々が開口１３上で突き合わされた閉扉状態において扉１４Ｌの閉扉状態を解除する方向（図１（Ｂ）の矢印Ａ方向）への回動が扉１４Ｒにより規制されるようにして開口１３の左右の側縁に支持されている。
【００１０】
より具体的に説明すると、扉１４Ｌの左縁は、上下に離間した２つのヒンジ１５ＵＬ、１５ＤＬ（ヒンジ１５ＤＬは不図示）を介して保管庫本体１１の左壁１６Ｌの内側に連結されている。扉１４Ｌは、ヒンジ１５ＵＬ、１５ＤＬの軸を回動軸とする回動が可能である。扉１４Ｒの右縁は、上下に離間した２つのヒンジ１５ＵＲ、１５ＤＲ（ヒンジ１５ＤＲは不図示）を介して筐体３１の右壁１６Ｒの内側に連結されている。扉１４Ｒは、ヒンジ１５ＵＲ、１５ＤＲの軸を回動軸とする回動が可能である。
【００１１】
保管庫本体１１の左壁１６Ｌにおけるヒンジ１５ＵＬの近傍にはマグネット式プッシュキャッチ１８Ｌが設けられている。保管庫本体１１の右壁１６Ｒにおけるヒンジ１５ＵＲの近傍にはマグネット式プッシュキャッチ１８Ｒが設けられている。扉１４Ｌにおけるプッシュキャッチ１８Ｌのマグネット片１９Ｌと対向する位置には金属片２０Ｌが固定されている。扉１４Ｒにおけるプッシュキャッチ１８Ｒのマグネット片１９Ｒと対向する位置には金属片２０Ｒが固定されている。
【００１２】
ここで、閉扉状態では、扉１４Ｌの金属片２０Ｌがマグネット片１９Ｌに吸着しており、扉１４Ｒの金属片２０Ｒがマグネット片１９Ｒに吸着している。この閉扉状態において、扉１４Ｒを奥に押すと、プッシュキャッチ１８Ｒのマグネット片１９Ｒは、ホルダ２１Ｒ内に一旦退避してから扉１４Ｒの側に突出する。マグネット片１９Ｒが突出すると、扉１４Ｒはマグネット片１９Ｒの先端に押されて矢印Ａ’方向に僅かに回動する。扉１４Ｒの矢印Ａ’方向への僅かな回動により、扉１４Ｒ内のラッチ機構（不図示）による扉１４Ｌの回動の規制が解除される。この規制の解除により、扉１４Ｌの開扉操作が可能となる。
【００１３】
錠装置３０は、保管庫１０に簡易的な施開錠機能を付加するものである。図２（Ａ）は、開錠状態における錠装置３０の正面図および右側面図である。図３（Ａ）は、施錠状態における錠装置３０の正面図および右側面図である。図２（Ａ）及び図３（Ａ）に示すように、錠装置３０の筐体３１は、左右幅Ｗ１（たとえば、Ｗ１＝１４０ｍｍ）、上下幅Ｌ１（たとえば、Ｌ１＝２４０ｍｍ）、及び奥行幅Ｈ１（たとえば、Ｈ１＝３０ｍｍ）の寸法を持った中空な直方体状をなしている。筐体３１の右壁には内部の空洞と連通する矩形孔３２が穿設されている。図１（Ａ）に示すように、錠装置３０の筐体３１は、矩形孔３２を扉１４Ｒの側に向けて扉１４Ｌにおける右端部よりも僅かに内側の位置に貼着される。より具合的に説明すると、筐体３１の裏面には両面テープが貼られている。この両面テープの粘着力により、筐体３１が扉１４Ｌの表面上に貼着された状態が維持される。
【００１４】
図２（Ａ）及び図３（Ａ）において、矩形孔３２にはデッドボルト３３がはめ込まれている。錠装置３０の筐体３１の前壁の下方には開閉扉３４が設けられている。筐体３１内における開閉扉３４の裏側には電池ボックス（不図示）がある。この電池ボックスには乾電池が収められている。錠装置３０の筐体３１の前壁の上方にはコントローラ３５が設けられている。コントローラ３５の前面には、電源投入ボタン３６、テンキーボタン３７、及び電池寿命警報ランプ３８がある。また、コントローラ３５には、制御部３９が埋め込まれている。制御部３９は、メモリとＣＰＵとを有している。制御部３９のメモリには開錠用のＮ（例えば、Ｎ＝４とする）桁の暗証番号が記憶されている。制御部３９は、錠装置３０の動作を制御する制御中枢としての役割を果たす。制御部３９の役割の詳細は後述する。
【００１５】
筐体３１の前壁におけるコントローラ３５の下には横長の長孔４０が穿設されている。筐体３１内の空洞における長孔４０の裏側の位置には箱状のケース４１がその開口を前壁に向けて固定されている。このケース４１には、施開錠駆動機構４２が収められている。施開錠駆動機構４２は、矩形孔３２内のデッドボルト３３の先端が筐体３１の右壁と略面一になる位置を開錠位置ＰＵＮＬＯＣＫとするとともにデッドボルト３３の先端が筐体３１の右壁よりも扉１４Ｒの側に突出した位置を施錠位置ＰＬＯＣＫとし、デッドボルト３３が開錠位置ＰＵＮＬＯＣＫから施錠位置ＰＬＯＣＫまで動かされた場合にその逆方向へのデッドボルト３３の摺動を規制し、テンキーボタン３７を介して入力されたＮ（Ｎ＝４）桁の番号が制御部３９のメモリ内の暗証番号と一致した場合に摺動の規制を解除してデッドボルト３３を開錠位置ＰＵＮＬＯＣＫまで退避させる機構である。
【００１６】
図２（Ｂ）は、開錠状態における施開錠駆動機構４２を示す図である。図３（Ｂ）は、施錠状態における施開錠駆動機構４２を示す図である。施開錠駆動機構４２の構成の詳細は以下の通りである。施開錠駆動機構４２は、スライドレバー５１、ソレノイドアクチュエータ５２、ホールドレバー５３、シリンダ錠５４、及びマイクロスイッチ５５からなる。スライドレバー５１は、鍔部６１及び板部６２、６３、６４を有している。鍔部６１は、薄い直方体状をなしている。鍔部６１の上下幅は筐体３１の長孔４０の上下幅と同じになっている。鍔部６１の前方の一部分は長孔４０を通って筐体３１の外側に露出しており、この露出部分には摘み６７が固定されている。
【００１７】
スライドレバー５１の板部６２は、鍔部６１の下面から下方に向かって延在している。板部６２の前後の厚みは鍔部６１のそれよりも薄くなっている。板部６２の下面における左側の縁には下方に凸んだ突起５９がある。
【００１８】
スライドレバー５１の板部６３は鍔部６１の右面から右に向かって延在している。板部６３はケース４１の右壁に穿設された孔６５に嵌め込まれている。板部６３は孔６５を介してケース４１の外に露出した部分の先端においてデッドボルト３３の基端部と一体化されている。また、板部６３はスプリング５７に覆われている。スプリング５７の一端はケース４１の右壁に固定されている。スプリング５７の他端は鍔部６１の右面に固定されている。このため、スライドレバー５１には左向きの付勢力が与えられる。
【００１９】
スライドレバー５１の板部６４は鍔部６１の左面から左に向かって延在している。板部６４には同部６４を前後方向に貫く長孔５６が穿設されている。長孔５６の左右方向の幅はその上下方向の幅よりも十分に長くなっている。長孔５６には軸部材６８が挿入されている。この軸部材６８の基端はケース４１の底面に固定されている。スライドレバー５１およびこれと一体化されたデッドボルト３３が左に動くと、軸部材６８と長孔４０の右端との間の距離は短くなる。また、スライドレバー５１及びデッドボルト３３が右に動くと、軸部材６８と長孔４０の右端との間の距離は長くなる。図２（Ｂ）に示すように、開錠状態では、軸部材６８が長孔４０の右端に当接している。このため、施錠状態では、デッドボルト３３の左方向への移動が規制される。
【００２０】
スライドレバー５１の左側にはソレノイドアクチュエータ５２がある。ソレノイドアクチュエータ５２のフレーム７１の下面からはプランジャ７２が突出している。プランジャ７２の下面よりも僅かに上には当該プランジャ７２を前後に貫く孔７３が穿設されている。プランジャ７２はスプリング５８に覆われている。スプリング５８の一端はフレーム７１の下面に固定されている。スプリング５８の他端は孔７３に係止されている。このため、プランジャ７２には下向きの付勢力が与えられる。図２（Ａ）及び図２（Ｂ）に示すように、開錠状態では、プランジャ７２の孔７３はフレーム７１の下面から距離Ｌ２だけ下の位置にある。図３（Ａ）及び図３（Ｂ）に示すように、施錠状態では、プランジャ７２の孔７３はフレーム７１の下面から距離Ｌ２’（Ｌ２’＞Ｌ２）だけ下の位置にある。
【００２１】
スライドレバー５１の下側にはホールドレバー５３がある。図２（Ｃ）は、図２（Ｂ）におけるホールドレバー５３を矢印Ｃ方向から見た図である。ホールドレバー５３は、孔７３及び突起５９間の距離よりも長い横幅を持った薄板状をなしている。ホールドレバー５３の基端部よりも僅かに内側の位置はコの字状に切り欠かれている。この切欠き部分の基端側には軸部７４が形成されている。この軸部７４はプランジャ７２の孔７３に挿入されている。ホールドレバー５３の先端部から基端側に僅かに離れた位置には矩形孔７５が穿設されている。矩形孔７５の縦幅及び横幅は突起５９の縦幅及び横幅と同じである。ホールドレバー５３における先端部及び基端部間の真ん中よりも僅かに基端寄りの位置には、上方に向かって起立した凸部７６がある。凸部７６は矩形状をなしている。凸部７６の中心には凸部７６を前後に貫く孔７７が穿設されている。孔７７には軸部材７８が挿入されている。軸部材７８の基端はケース４１の底面に固定されている。ホールドレバー５３は、この軸部材７８を回動軸とする回動が可能である。図２（Ｂ）に示すように、開錠状態では、プランジャ７２の孔７３内の軸部７４の位置は矩形孔７５の位置よりも上にある。また、図３（Ｂ）に示すように、施錠状態では、プランジャ７２の孔７３内の軸部７４と矩形孔７５は略同じ高さの位置にある。また、施錠状態では、ホールドレバー５３の矩形孔７５にスライドレバー５１の突起５９が嵌っている。このため、施錠状態では、デッドボルト３３の左右両方向への移動が規制される。
【００２２】
ホールドレバー５３の下にはシリンダ錠５４とマイクロスイッチ５５がある。図２（Ａ）及び図３（Ａ）に示すように、シリンダ錠５４のキー挿入口８１は筐体３１の前壁における長孔４０の下の円孔８０を介して外部に露出している。シリンダ錠５４の内筒８２はＬ字レバー８３と連結されている。Ｌ字レバー８３はシリンダ錠５４の内筒８２の側面から左に向かって延伸した後に上方に屈曲している。Ｌ字レバー８３における屈曲した先の端面はプランジャ７２の下面と対向している。マイクロスイッチ５５は、スイッチ本体８４とこのスイッチ本体８４に搖動自在に連結された板８５とを有する。板８５の先端はホールドレバー５３の先端部と僅かな間隔をあけて対向している。このため、ホールドレバー５３がその先端部を下げる方向に搖動すると、ホールドレバー５３の先端部が板８５と接触し、板８５がスイッチ本体８４の側に搖動する。スイッチ本体８４は、スイッチ本体８４の側に板８５が搖動すると、検知信号Ｓを制御部３９に供給する。
【００２３】
ここで、錠装置３０の操作者は、開錠状態（図２（Ａ）及び図２（Ｂ））となっている錠装置３０を施錠するときは、摘み６７を把持して右に動かす操作を行う。また、施錠状態（図３（Ａ）及び図３（Ｂ））となっている錠装置３０を暗証番号を使って開錠するときは、テンキーボタン３７により該当の番号を入力する操作を行う。施錠状態（図３（Ａ）及び図３（Ｂ））となっている錠装置３０をキーを使って開錠するときは、キー挿入口８１にキーを差し込んでキーを時計回り方向に回す操作を行う。また、錠装置３０のメモリ内の暗証番号を再設定するときは、キー挿入口８１にキーを差し込んでキーを時計回り方向に回し、その状態でテンキーボタン３７により新たな暗証番号を入力する操作を行う。
【００２４】
これらの操作が行われた場合における施開錠駆動機構４２の動作内容は次の通りである。
ａ１．施錠操作が行われた場合
この操作において、操作者が摘み６７を把持して右に動かすと、スライドレバー５１及びデッドボルト３３が右に移動してデッドボルト３３が筐体３１外に突出する。また、スライドレバー５１の突起５９はホールドレバー５３の上面を右に摺動する。そして、デッドボルト３３の先端部が施錠位置ＰＬＯＣＫに達すると、スライドレバー５１の突起５９とホールドレバー５３の矩形孔７５の上下方向の位置が重なる。突起５９と矩形孔７５が重なると、スプリング５８の付勢力によりプランジャ７２とホールドレバー５３の軸部７４が押し下げられてホールドレバー５３が矩形孔７５を上げる方向に搖動し、スライドレバー５１の突起５９が矩形孔７５に嵌まり込む。この突起５９と矩形孔７５の嵌合により、スライドレバー５１及びデッドボルト３３の逆方向への摺動が規制される。
【００２５】
ｂ１．暗証番号による開錠操作が行われた場合
この操作において、操作者がテンキーボタン３７により暗証番号を入力すると、制御部３９は、ソレノイドアクチュエータ５２に電流を供給する。ソレノイドアクチュエータ５２は、電流が供給されると、プランジャ７２をフレーム７１内に引き込む方向の磁界を発生させる。これにより、プランジャ７２とホールドレバー５３の軸部７４が押し上げられてホールドレバー５３が矩形孔７５を下げる方向に搖動する。この搖動によりホールドレバー５３の傾斜角度が所定角度θ１に達すると、スライドレバー５１の突起５９が矩形孔７５から外れる。スライドレバー５１の突起５９が矩形孔７５から外れると、スプリング５７の付勢力によりスライドレバー５１及びデッドボルト３３が左に移動してデッドボルト３３が筐体３１内に退避する。また、スライドレバー５１の突起５９はホールドレバー５３の上面を左に摺動する。そして、デッドボルト３３の先端部が開錠位置ＰＵＮＬＯＣＫに達すると、スライドレバー５１の長孔５６内の軸部材６８が長孔５６の右端に当接し、スライドレバー５１及びデッドボルト３３の移動が止まる。
【００２６】
ｃ１．キーによる開錠操作が行われた場合
この操作において、操作者がシリンダ錠５４のキー挿入口８１にキーを差し込んでキーを時計回り方向に回すと、シリンダ錠５４の内筒８２とこの側面に固定されたＬ字レバー８３が軸回りに回動する。Ｌ字レバー８３が回動すると、プランジャ７２とホールドレバー５３の軸部材７４が押し上げられてホールドレバー５３が矩形孔７５を下げる方向に搖動する。この搖動によりホールドレバー５３の傾斜角度が角度θ１に達すると、スライドレバー５１の突起５９が矩形孔７５から外れる。スライドレバー５１の突起５９が矩形孔７５から外れると、スプリング５７の付勢力によりスライドレバー５１及びデッドボルト３３が左に移動してデッドボルト３３が筐体３１内に退避する。また、スライドレバー５１の突起５９はホールドレバー５３の上面を左に摺動する。そして、デッドボルト３３の先端部が開錠位置ＰＵＮＬＯＣＫに達すると、スライドレバー５１の長孔４０内の軸部材６８が長孔４９の右端に当接し、スライドレバー５１及びデッドボルト３３の移動が止まる。
【００２７】
ｄ１．暗証番号を再設定する操作が行われた場合
この操作において、操作者がシリンダ錠５４のキー挿入口８１にキーを差し込んでキーを時計回り方向に回すと、シリンダ錠５４の内筒８２と内筒８２の側面に固定されたＬ字レバー８３が軸回りに回動する。Ｌ字レバー８３が回動すると、プランジャ７２とホールドレバー５３の軸部材７４が押し上げられてホールドレバー５３が矩形孔７５を下げる方向に搖動する。この搖動によりホールドレバー５３の傾斜角度が所定角度θ２（θ２＞θ１）に達すると、マイクロスイッチ５５が制御部３９に検知信号Ｓを供給する。制御部３９は、この検知信号Ｓが供給されると、暗証番号設定モードに遷移する。このモード遷移後に、操作者が、テンキーボタン３７により所望のＮ（Ｎ＝４）桁の番号を入力すると、制御部３９は、入力されたＮ（Ｎ＝４）桁の番号を新たな暗証番号として制御部３９内のメモリに上書きする。
【００２８】
以上が、本実施形態の構成の詳細である。本実施形態によると、次の効果が得られる。
第１に、本実施形態では、筐体３１は、扉１４Ｌに貼着される。また、筐体３１におけるデッドボルト３３が嵌め込まれた孔３２は扉１４Ｌの回動を規制する扉である扉１４Ｒの方に向けられる。そして、施開錠駆動機構４２は、デッドボルト３３の先端が筐体３１における孔３２のある面と面一になる位置を開錠位置ＰＵＮＬＯＣＫとするとともにデッドボルト３３の先端が孔２２のある面よりも扉１４Ｒの側に突出した位置を施錠位置ＰＬＯＣＫとし、デッドボルト３３が開錠位置ＰＵＮＬＯＣＫから施錠位置ＰＬＯＣＫまで動かされた場合にその逆方向への摺動を規制し、操作子であるテンキーボタン３７を介して入力された番号が制御部３９のメモリ内の暗証番号と一致した場合にデッドボルト３３の摺動の規制を解除してデッドボルト３３を開錠位置ＰＵＮＬＯＣＫまで退避させる。よって、本実施形態によると、保管庫の扉に把手がついていない場合でも、簡易的な施開錠機能を付加することができる。
【００２９】
第２に、本実施形態では、施開錠駆動機構４２は、シリンダ錠５４のキー挿入口８１にキーを挿入してキーが回された場合にもデッドボルト３３の摺動の規制を解除する。よって、本実施形態によると、電気的または機械的な不具合により暗証番号による開錠ができない状態が発生した場合に、キーよる開錠を行って保管庫１０の中の物を出し入れすることができる。
【００３０】
第３に、本実施形態では、制御部３９は、シリンダ錠５４のキー挿入口８１にキーを挿入してキーが回され、マイクロスイッチ５５が動作した状態においてテンキーボタン３７により番号が入力された場合に、この入力された番号を新たな暗証番号としてメモリに上書きする。よって、本実施形態によると、暗証番号は、安易に登録できないので、暗証番号の改ざんを防止することができる。
【００３１】
第４に、本実施形態では、ホールドレバー５３の傾斜角度が角度θ１に達したときにデッドボルト３３が開錠位置ＰＵＮＬＯＣＫに向かって摺動するようになっており、ホールドレバー５３の傾斜角度が角度θ１よりも大きな角度θ２に達したときに暗証番号設定モードに遷移するようになっている。よって、本実施形態によると、開錠時のコントローラ３５の誤操作によって暗唱番号を書き換えてしまう、という事態の発生を確実に防止することができる。
【００３２】
以上、本発明の一実施形態について説明したが、かかる実施形態に以下の変形を加えてもよい。
【００３３】
（１）上記実施形態における錠装置３０をそのデッドボルト３３の受け具となる格納部材と組み合わせて利用してもよい。図４（Ａ）は、この変形例である錠装置３０と格納装置１６０とからなる錠システム１５０における開錠状態を示す図である。図４（Ｂ）は、錠システム１５０における施錠状態を示す図である。ここで、図４（Ａ）及び図４（Ｂ）は、錠システム１５０における錠装置３０を引出１０１に貼着するとともに格納装置１６０を引出１０１を収納する収納具１０２に貼着したものである。しかし、観音開き式扉の一方の扉と他方の扉に錠装置３０と格納装置１６０を各々貼着してもよい。図４（Ａ）及び図４（Ｂ）に示すように、格納装置１６０は、一面が開放された空洞１１１を有している。そして、格納装置１６０は、この空洞１１１の開口を錠装置３０のデッドボルト３３に向けた姿勢で貼着される。そして、施錠状態では、錠装置３０の筐体３１から突出したデッドボルト３３が格納装置１６０の空洞１１１内に収納される。また、開錠状態では、錠装置３０のデッドボルト３３が筐体３１に退避する。本実施形態によっても、上記実施形態と同様の効果を得ることができる。
【００３４】
（２）上記実施形態では、摘み６７を左に動かす操作によってデッドボルト３３を筐体３１外に突出させるようになっていた。しかし、摘み６７をハンドルに置き換え、このハンドルを回す操作によってデッドボルト３３を筐体３１外に突出させるようにしてもよい。
【符号の説明】
【００３５】
１０…保管庫、１１…保管庫本体、１３…開口、１４…扉、１５…ヒンジ、１８…プッシュキャッチ、１９…マグネット片、２０…金属片、３０…錠装置、３１…筐体、３２…矩形孔、３３…デッドボルト、３４…開閉扉、３５…コントローラ、３６…電源投入ボタン、３７…テンキーボタン、３８…電池寿命警報ランプ、３９…制御部、４０，５６…長孔、４１…ケース、４２…施開錠駆動機構、５１…スライドレバー、５２…ソレノイドアクチュエータ、５３…ホールドレバー、５４…シリンダ錠、５５…マイクロスイッチ、５７、５８…スプリング、５９…突起、６１…鍔部、６２、６３、６４…板部、６７…摘み、６８，７８…軸部材、７１…フレーム、７２…プランジャ、７３，７５，７６…孔、７４…軸部、７６…凸部、８１…キー挿入口、８２…内筒、８３…Ｌ字レバー
【図２】
2014070443.tif 000003
【図３】
2014070443.tif 000004
【図１】
2014070443.tif 000005
【図４】
2014070443.tif 000006